(57)【要約】【課題】実際使用する環境および使用状況に適したプレゼンテーション資料を作成できるオーサリングシステムを提供する。【解決手段】画像、音、音声、テキスト等複数の素材を組み合わせてページデータを構成し、プレゼンテーション資料を作成するオーサリングシステムにおいて、資料を再生するときの使用環境（例えば、繰り返して再生されるコマーシャルでの使用、人の説明を伴うデモでの使用またはコンピュータでの使用等）を入力する再生環境選択手段１１を備え、前記使用環境に基づいて、素材の選択範囲や予め用意された複数のテンプレートの選択範囲を限定し、その限定された範囲のテンプレートから選択して、ページデータを作成する。さらに、使用環境に会場規模や騒音状況を指定した場合、再生する音の高低を調整し、また、照明状況や使用時間帯を指定した場合には、再生画像の明暗を調整するようにした。【選択図】        図１
2004235785.tif 000002
【特許請求の範囲】
【請求項１】
画像、音、音声、テキスト等複数の素材を組み合わせてページデータを構成し、プレゼンテーション資料を作成するオーサリングシステムにおいて、前記資料を再生するときの使用環境を入力する再生環境選択手段を備え、前記使用環境に基づいて、前記素材の選択範囲を限定することを特徴とするオーサリングシステム。
【請求項２】
請求項１に記載のオーサリングシステムにおいて、前記使用環境に基づいて、予め用意された複数のテンプレートの選択範囲を限定し、その限定された範囲内のテンプレートから選択して、前記ページデータを作成することを特徴とするオーサリングシステム。
【請求項３】
請求項１または２に記載のオーサリングシステムにおいて、前記使用環境は、繰り返して再生されるコマーシャルでの使用、人の説明を伴うデモでの使用またはコンピュータでの使用であることを特徴とするオーサリングシステム。
【請求項４】
請求項３に記載のオーサリングシステムにおいて、前記使用環境に再生時間を指定した場合、前記コマーシャルでの使用の時には、その再生時間内に収まるように前記ページデータの表示間隔を調整するようにしたことを特徴とするオーサリングシステム。
【請求項５】
請求項１、２または３に記載のオーサリングシステムにおいて、前記使用環境に再生時間を指定した場合、この再生時間から前記ページデータの総数を推定するようにしたことを特徴とするオーサリングシステム。
【請求項６】
請求項１乃至５のいずれかに記載のオーサリングシステムにおいて、前記使用環境に会場規模や騒音状況を指定した場合、再生する音の高低を調整するようにしたことを特徴とするオーサリングシステム。
【請求項７】
請求項１乃至６のいずれかに記載のオーサリングシステムにおいて、前記使用環境に照明状況や使用時間帯を指定した場合、再生画像の明暗を調整するようにしたことを特徴とするオーサリングシステム。
【請求項８】
請求項１乃至７のいずれかに記載のオーサリングシステムにおいて、前記ページデータに指定されたテキストが所定の長さより長い場合には、このページデータの表示時間を調整するようにしたことを特徴とするオーサリングシステム。
【請求項９】
プレゼンテーション資料で使う画像、音、音声、テキスト等複数の素材と、請求項１乃至８のいずれかに記載のオーサリングシステムで作成された、全体に共通する再生環境情報を記録する環境ファイルと前記素材の組み合わせからなる前記プレゼンテーション資料を表示させる順序情報を記録する指示ファイルと、前記環境ファイルに記録された環境のもとに、前記指示ファイルで指定される順序に従って前記プレゼンテーション資料を再生する再生プログラムとを記録した記録媒体。
【請求項１０】
コンピュータに、請求項１乃至８のいずれかに記載のオーサリングシステムの機能を実行させるためのプログラム。
【請求項１１】
請求項１０に記載のプログラムを記録したコンピュータ読み取り可能な記録媒体。
【発明の詳細な説明】
【０００１】
【発明の属する技術分野】
本発明は、オーサリングシステム、プログラムおよび記録媒体に関し、具体的には、画像データ、音声データおよびテキストデータ等を組み合わせてプレゼンテーション資料を編集・蓄積するオーサリングシステム、このオーサリングシステムの機能を実行するためのプログラムおよびそのプログラムを記録したコンピュータ読み取り可能な記録媒体に関する。
【０００２】
【従来の技術】
近年、デジタルカメラの普及に伴って、このカメラで撮影した画像に文字情報、絵情報や音情報（音声や音楽等）等と組み合わせてファイリングし、必要に応じて画像を検索したり、鑑賞するためのツールとして、電子アルバムが各種商品化されている。
【０００３】
例えば、電子アルバムの商品としては、アルバムの台紙となるテンプレートへ撮影した画像にクリップアート（額縁、飾り文字）やコメントを付して配置することにより、見栄えのあるアルバムを作成できる。
また、撮影画像に対して、文字や音声によるコメント、ＢＧＭや切り替え時の演出効果を付けてストーリイ性を持たせたスライドショウを作成することができる。
さらに、このアルバムをＣＤやＤＶＤへ書き込むことによりフォトアルバムやビデオアルバムを作成できる。
【０００４】
また、特許文献１の「電子アルバムシステム」では、撮影画像情報の中から使用者が選出した画像情報と、予め記録媒体に記録された画像情報およびＢＧＭなどの音声情報とを合成すべき編集情報を作成し、この編集情報に基づいて、使用者の所望する画像・音声再生を時系列的に行うことができる。
【０００５】
一方、文字、静止画、音声、動画などのデジタル素材を組み合わせて、各シーンを構成し、この各シーン間を編集してプレゼンテーション作品を作成するマルチメディアオーサリングツールがパーソナルコンピュータの普及とともに一般ユーザの間でも使われるようになってきた。
このようなマルチメディアオーサリングツールで作成されたマルチメディアコンテンツは、研究発表や販売デモ等を行う際に、コンピュータによるスライドショウのようなマルチメディアプレゼンテーションとして利用されている。
【０００６】
【特許文献１】
特開平０８−９８１２７号公報
【０００７】
【発明が解決しようとする課題】
上述したような従来の電子アルバムシステムやオーザリングツールでは、作成された作品を再生する環境における騒音や照明のことを考慮に入れずに、騒音や照明のことを考えない環境において再生するものとして作成している。
【０００８】
しかし、実際にその作品を用いて、例えば、屋外で研究発表や販売デモを行おうとすると、雑踏や自動車等の騒音で音声が聞こえなくなったり、あるいは、太陽光線の向きによっては画像が見えなくなるといったことが生じてくる。
【０００９】
本発明は、上述のような実情を考慮してなされたものであって、実際使用する環境および使用状況に適したプレゼンテーション資料を作成できるオーサリングシステム、プログラムおよび記録媒体を提供することを目的とする。
【００１０】
【課題を解決するための手段】
上記の課題を解決するために、本発明の請求項１は、画像、音、音声、テキスト等複数の素材を組み合わせてページデータを構成し、プレゼンテーション資料を作成するオーサリングシステムにおいて、前記資料を再生するときの使用環境を入力する再生環境選択手段を備え、前記使用環境に基づいて、前記素材の選択範囲を限定することを特徴とする。
【００１１】
また、本発明の請求項２は、請求項１に記載のオーサリングシステムにおいて、前記使用環境に基づいて、予め用意された複数のテンプレートの選択範囲を限定し、その限定された範囲内のテンプレートから選択して、前記ページデータを作成することを特徴とする。
【００１２】
また、本発明の請求項３は、請求項１または２に記載のオーサリングシステムにおいて、前記使用環境は、繰り返して再生されるコマーシャルでの使用、人の説明を伴うデモでの使用またはコンピュータでの使用であることを特徴とする。
【００１３】
また、本発明の請求項４は、請求項３に記載のオーサリングシステムにおいて、前記使用環境に再生時間を指定した場合、前記コマーシャルでの使用の時には、その再生時間内に収まるように前記ページデータの表示間隔を調整するようにしたことを特徴とする。
【００１４】
また、本発明の請求項５は請求項１、２または３に記載のオーサリングシステムにおいて、前記使用環境に再生時間を指定した場合、この再生時間から前記ページデータの総数を推定するようにしたことを特徴とする。
【００１５】
また、本発明の請求項６は、請求項１乃至５のいずれかに記載のオーサリングシステムにおいて、前記使用環境に会場規模や騒音状況を指定した場合、再生する音の高低を調整するようにしたことを特徴とする。
【００１６】
また、本発明の請求項７は、請求項１乃至６のいずれかに記載のオーサリングシステムにおいて、前記使用環境に照明状況や使用時間帯を指定した場合、再生画像の明暗を調整するようにしたことを特徴とする。
【００１７】
また、本発明の請求項８は、請求項１乃至７のいずれかに記載のオーサリングシステムにおいて、前記ページデータに指定されたテキストが所定の長さより長い場合には、このページデータの表示時間を調整するようにしたことを特徴とする。
【００１８】
また、本発明の請求項９は、プレゼンテーション資料で使う画像、音、音声、テキスト等複数の素材と、請求項１乃至８のいずれかに記載のオーサリングシステムで作成された、全体に共通する再生環境情報を記録する環境ファイルと前記素材の組み合わせからなる前記プレゼンテーション資料を表示させる順序情報を記録する指示ファイルと、前記環境ファイルに記録された環境のもとに、前記指示ファイルで指定される順序に従って前記プレゼンテーション資料を再生する再生プログラムとを記録した記録媒体である。
【００１９】
また、本発明の請求項１０は、コンピュータに、請求項１乃至８のいずれかに記載のオーサリングシステムの機能を実行させるためのプログラムである。
また、本発明の請求項１１は、請求項１０に記載のプログラムを記録したコンピュータ読み取り可能な記録媒体である。
【００２０】
上記の構成によって、実際に使用する環境あるいは場面など使用状況を想定し、その使用状況に適した演出あるいは効果を設定することができる。
【００２１】
【発明の実施の形態】
以下、図面を参照して本発明に係るオーサリングシステムの好適な実施形態を実施形態１、実施形態２および実施形態３に分けて説明する。
実施形態１は、楽々ウイザードを使ってプレゼンテーション資料を新規に作成する場合である。
また、実施形態２は、詳細設定で資料を新規に作成する場合、または、詳細設定で作成された資料または実施形態１で作成された資料を詳細に設定しなおす場合である。
また、実施形態３は、本オーサリングシステムのプログラムおよびそのプログラムを記録した記録媒体についての説明である。
【００２２】
＜実施形態１＞
図１は、本実施形態１に係るオーサリングシステムの機能構成を示すブロック図であり、同図において、オーサリングシステムは、再生環境選択手段１１、画像選択手段１２、素材選択手段１３、オプション選択手段１４、出力手段１５、素材群１６、画像ＤＢ（データベース）１７とを含んでいる。
【００２３】
素材群１６は、予め用意された素材（背景画像ＤＢ１６Ａ、フィルタ画像ＤＢ１６Ｂ、音情報ＤＢ１６Ｃ）を保持している。
背景画像ＤＢ１６Ａは、プレゼンテーション資料の各ページの背景に設定される画像を複数用途別に記録したデータベースである。
フィルタ画像ＤＢ１６Ｂは、プレゼンテーション資料の各ページに付けられる額縁やクリップアートの画像を複数用途別に記録したデータベースである。
音情報ＤＢ１６Ｃは、背景として流される音や音楽を複数用途別に記録したデータベースである。
【００２４】
また、素材の一種であるテンプレートは、プレゼンテーション資料の各ページに文字情報や画像情報をどのように配置するか設定した型紙であって、用途に応じて分類され、識別子（ＩＤ）によって識別される。
また、１つの型紙には、０個以上の文字情報および画像情報を配置することができる。
例えば、図２に示したように、文字情報のみを配置したページ（図２（Ａ）、（Ｂ））、１つまたは２つの画像情報と文字情報を配置したページ（図２（Ｃ）、（Ｄ）、（Ｅ））のようである。
【００２５】
画像ＤＢ１７は、プレゼンテーション資料に使われる画像データを含む複数の画像データからなり、画像のタイトルや画像サイズ等によって検索可能なデータベースである。
【００２６】
再生環境選択手段１１は、図３のような画面をディスプレイ装置等の表示装置の画面に表示し、本実施形態１のオーサリングシステムで作成されるプレゼンテーション資料を再生するときの環境条件を選択入力する。
環境条件としては、プレゼンテーション資料がどのような場面で使用されるかの種別、再生する場所や時間等の使用環境、画像の抽出条件の画像抽出がある。
【００２７】
種別には、コンピュータで使用することを前提とした「通常」、コマーシャルの繰り返し再生を前提とした「ＣＭ」および人が説明しながら再生することを前提とした「デモ」等の区別がある。
【００２８】
「ＣＭ」を選択した場合は、コマーシャル向けの素材（背景、フィルタ、音情報）を素材群１６から、およびコマーシャル向けのテンプレートを選択するように設定する。
また、オプションとして制御バーの表示を「しない」に設定し、繰り返し再生を「する」に設定する。この制御バーは、再生時に手動によってページの進行を指示するときに利用する。
【００２９】
種別選択で「デモ」を選択した場合は、デモ向けの向けの素材（背景、フィルタ、音情報）を素材群１６から、およびデモ向けのテンプレートを選択するように設定する。
また、オプションとして制御バーの表示を「する」に設定し、繰り返し再生を「しない」に設定する。
【００３０】
種別選択で「通常」を選択した場合は、システム標準値の素材およびテンプレートを選択するように設定する。
また、オプションとして制御バーの表示を「しない」に設定し、繰り返し再生を「しない」に設定する。
【００３１】
使用環境では、再生時間全体の長さを示す「長さ（分）」と、会場規模、会場における照明状況および再生を行うときの時間帯を選択入力する。
再生時間が指定された場合には、指定された長さで再生が完了するように１ページあたりの表示時間を算出し、再生間隔を設定する。
また、１ページあたりの再生標準時間から再生に使用できるページ数を設定できるようにしてもよい。
【００３２】
会場規模では、屋外（騒音なし、騒音あり）と屋内（大規模、中規模、小規模）の区別を選択入力する。
騒音の有無や会場の規模に応じて音や音楽および音声の出力ボリュームを設定する。例えば、騒音がある場合や会場が広いときには、出力ボリュームを高くする。
【００３３】
照明状況では、照明（なし、蛍光灯、白熱灯）と太陽光（背後、正面、横）の区別を選択入力する。
時間帯としては、朝、昼、夕方、夜の区別を選択入力する。
これらの照明状況と時間帯を組み合わせて、明るさを判断して、表示の明暗を設定する。
【００３４】
画像抽出では、画像ＤＢ１７から画像データを抽出する条件を選択入力する。
タイトルでは、画像データの名前やコメントを入力する。サイズは、例えば、画像データの幅・高さを入力する。
【００３５】
画像選択手段１２は、再生環境選択手段１１で選択された画像抽出条件（タイトルと画像サイズ）に合う画像データを画像ＤＢ１７から抽出し、この抽出された画像データのうち今回プレゼンテーション資料に使う画像を選択させる。
画像選択手段１２は図４のような画像選択画面を表示して、次の操作で画像データをユーザに選択させる。
【００３６】
（１）「参照ボタン４１」をクリックして、画像ＤＢ１７の所在を入力すると、この画像ＤＢ１７から指定された画像抽出条件に合致する画像の縮小画像が領域４２に表示される。この領域４２に表示されていない画像は、前後に進めるボタンによって見ることができる。
【００３７】
（２）領域４２に表示された画像の中から選択する画像の縮小画像をクリックして、「一枚割り当てボタン４３」をクリックすると、プレゼンテーション資料に使う画像を表示する領域４５へ表示される。
同様にして、プレゼンテーション資料に使う順に画像を選択する。
【００３８】
（３）または、「一括割り当てボタン４４」をクリックすると、指定された画像ＤＢ１７から画像抽出条件にあったすべての画像が領域４５へ表示される。
【００３９】
（４）この領域４５に選択された画像の順序は、画像をクリックしてから「前へボタン」や「後へボタン」をクリックすることによって変更できる。
「回転ボタン」をクリックすると選択された画像が９０°ずつ回転する。
「削除ボタン」をクリックすると選択された画像を領域４５から削除する。
【００４０】
画像選択手段１２は、再生環境選択手段１１でユーザが再生時間を指定した場合、ユーザが選択したすべての画像をこの再生時間内に表示できるかどうかを判断する。時間内に表示できない場合には、選択した画像の枚数を削減するか、または再生時間を変更するように通知する。
【００４１】
素材選択手段１３は、再生環境選択手段１１によって仮に設定されたテンプレート、背景、フィルタ、音情報を図５に示すような画面に表示し、これを修正入力する。
図５において、例えば、音情報の選択を変更したいときには、音選択画面の左右に設けられた「前へボタン５２」や「後へボタン５３」をクリックすると、音情報ＤＢ１６Ｃから取り出されて音情報に付されたタイトル５１が表示されるので、そのタイトルを見ることによって所望の音情報を選択する。「聴くボタン５４」をクリックすると、その内容を聴くことができる。
前後へのボタンを押したときに次の音情報は、種別選択で指定された用途に属する音情報の中から選択される。
【００４２】
背景やフィルタの場合には、選択された画像の縮小画像が素材群１６から取り出されて表示されるので、「前へボタン」や「後へボタン」をクリックして、所望のものを選択する。前後へのボタンを押したときに次の背景やフィルタは、種別選択で指定された用途に属する背景やフィルタの中から選択される。
【００４３】
また、テンプレートの場合には、「前へボタン」や「後へボタン」をクリックするとテンプレートに対応する図形イメージ（画像部分と文字列部分を色によって区別する）が作成されて表示されるので、その図形イメージをもとに所望のテンプレートであるかを判断し、選択する。
さらに、文字情報を含むテンプレートであった場合には、背景として流される音の出力を低くするように設定する。
【００４４】
オプション選択手段１４は、図６に示したようなオプション選択画面にこれまでに決定された情報を表示する。この画面には、プレゼンテーション資料のタイトル、プレゼンテーション資料のページを表示する間隔、文字認識、制御バーの表示および繰り返し再生の入力項目がある。
【００４５】
プレゼンテーション資料のページを表示する間隔が修正されたときは、この間隔時間を使ってプレゼンテーション資料の再生時間を再計算し、指定された再生時間内に収まるか否かを判断する。
時間内に収まらないときには、表示する時間間隔を減らすか、または再生時間を増加するようにユーザに通知する。
【００４６】
文字認識を「する」とした場合、文字情報を設定してあるページでテキストの量に応じて表示間隔を延ばすかどうかを表示速度調整フラグとして記憶しておく。再生するとき、この表示速度調整フラグがｏｎであれば、文字列の長さに応じてページの再生時間を延長する。
【００４７】
制御バーの表示は、「する」または「しない」から選択する。「する」を選択した場合には、ページめくりを手動で行うための制御バーが表示される。また、「しない」を選択した場合には、自動的にページめくりが行われる。
繰り返し再生は、「する」または「しない」から選択する。
【００４８】
出力手段１５は、図７に示したような出力先選択画面を表示する。
ユーザが「詳細設定へボタン」をクリックしたときには、各ページに設定する文字情報、背景、フィルタまたは音情報の変更や効果を変更する詳細設定の処理を行う（実施形態２で説明する）。
【００４９】
ユーザが「プレイヤーを作成するボタン」をクリックしたときには、これまでに入力または選択された各種情報からプレゼンテーション資料を構成し、この資料を再生するプレイヤーソフトを付加して記録媒体へ書き出す。
この記録媒体には、図８で示すように再生ソフトであるプレイヤーとデータを格納するデータフォルダとが記録される。
【００５０】
データフォルダには、環境ファイル、指示ファイルおよび画像ファイル、音情報ファイル、フィルタファイルおよび背景ファイルが含まれる。
【００５１】
環境ファイルは、図９に示すように全体に共通する情報、即ち、素材選択手段１３で選択された背景画像、フィルタ画像および音情報ファイルのファイル名と、再生環境選択手段１１で入力された再生時間の長さ、制御バー表示の有無、繰り返し再生の有無、ページの再生間隔、表示速度調節の有無、画面の明るさ、音のボリュームおよび背景音の変化に関する情報を記録している。
【００５２】
指示ファイルは、ページごとの情報をページ順に記録される（図１０（Ａ）参照）。また、ページごとの情報には図１０（Ｂ）に示す情報を記録している。
【００５３】
テンプレート名は、各ページに対して素材選択手段１３で選択されたテンプレートの識別子である。
背景画像、フィルタ画像、音情報は、実施形態１では設定されず、実施形態２で説明する詳細設定で設定される。
画像に関する情報としては、テンプレートに配置された画像領域の順に対応して、テンプレートに設定された数だけの画像データの画像ファイル名とそれに対する効果情報をリストアップする。このうち画像に関する効果情報は、実施形態１では設定されず、実施形態２で説明する詳細設定で設定される。
テキストに関する情報としては、テンプレートに配置された画像領域の順に対応して、テンプレートに設定された数だけ領域はあるが実施形態１では設定されず、実施形態２で説明する詳細設定で設定される。
【００５４】
画像ファイルは、プレゼンテーション資料に使うために選択された画像データを格納する複数の画像ファイルである。この画像ファイルのファイル名が指示ファイルの各ページ情報の画像ファイル名に指定される。
【００５５】
音情報ファイル、フィルタファイルおよび背景ファイルは、各ページに共通する音情報、フィルタ画像、背景画像をそれぞれ格納するファイルである。この各ファイルのファイル名が指示ファイルの各ページ情報の各ファイル名に指定される。
【００５６】
また、ユーザが「編集データを保存するボタン」をクリックしたときには、上述した「プレイヤーを作成するボタン」で作成されるもののうち、環境ファイルと指示ファイルのみが中間ファイルとして書き出される。
この中間ファイルを使って、次回から詳細設定を行うことができる（実施形態２で説明する）。
【００５７】
次に、本実施形態１の処理手順を図１１のフローチャートを用いて説明する。
まず、処理選択画面を表示し、「楽々ウイザードで新規作成」、「新規作成」または「編集」のいずれかをユーザに選択させる（ステップＳ１）。
「楽々ウイザードで新規作成」を選択したときに、本実施形態１の処理が行われる。
【００５８】
また、「新規作成」または「編集」の場合は、詳細設定を行うための実施形態２の処理（後述）を行う（ステップＳ１１）。
「新規作成」は、詳細設定を使ってプレゼンテーション資料を新規に作成するのに使われ、「編集」は、新規作成または作成途中で中間ファイルへ出力した状態から継続してプレゼンテーション資料を作成する場合に使われる。
【００５９】
「楽々ウイザードで新規作成」が選択されると（ステップＳ２のＹＥＳ）、図３のような画面をディスプレイ装置等の表示装置の画面に表示し、作成されるプレゼンテーション資料を再生するときの環境条件を選択入力する（ステップＳ３）。
入力された環境条件のうち種別選択から、共通に使うテンプレート、背景画像、フィルタ画像および音情報等の選択範囲を限定する。
【００６０】
次に、図４のような画像選択画面を表示して、環境条件のうち画像抽出条件に合致した画像データを画像ＤＢ１７から抽出して表示し、今回プレゼンテーション資料に使う画像データをユーザに選択させる（ステップＳ４）。
【００６１】
次に、図５に示すように、設定されたテンプレート、背景、フィルタ、音情報を表示し、これをユーザに修正入力させる（ステップＳ５）。
図６に示したようなオプション選択画面を表示し、プレゼンテーション資料の表題の入力およびページの再生間隔、制御バー表示の有無および繰り返し再生の有無を修正入力させる（ステップＳ６）。
【００６２】
最後に、プレイヤー出力指示があった場合、これまでに入力または選択された各種情報からプレゼンテーション資料を構成し、この資料を再生するプレイヤーソフトを付加して記録媒体へ書き出す（ステップＳ８）。
この記録媒体には、図８で示すように再生プログラムであるプレイヤーと画像等の素材データ、環境ファイルおよび指示ファイルを格納するデータフォルダとが記録される。
【００６３】
また、編集出力指示があった場合、これまでに入力または選択された各種情報のみが中間ファイルとして書き出される（ステップＳ９）。
出力指示がその他の場合には、処理を終了する。
【００６４】
＜実施形態２＞
図１２は、本実施形態２に係るオーサリングシステムの機能構成を示すブロック図であり、同図において、オーサリングシステムは、再生環境選択手段１１、素材選択手段１３、詳細設定手段１８、オプション選択手段１４、出力手段１５、素材群１６、画像ＤＢ１７とを含んでいる。図１２において、上述した実施形態１と同一の部分は同一の符号を付してその説明を省略する。以下に、実施形態１との相違点を説明する。
【００６５】
再生環境選択手段１１が実施形態１と相違する部分は、プレゼンテーション資料として中間的に作成された中間ファイルを指定されたときには、その中間ファイルから読み出された情報を設定した環境設定画面を表示する点である。また、この再生環境選択手段１１は、新規に詳細設定を使って作成する場合は、実施形態１と同じ機能を持っている。
【００６６】
素材群１６は、予め用意された素材（背景画像ＤＢ１６Ａ、フィルタ画像ＤＢ１６Ｂ、音情報ＤＢ１６Ｃ）を保持している。
背景画像ＤＢ１６Ａは、プレゼンテーション資料の各ページの背景に設定される画像を複数用途別に記録したデータベースである。
フィルタ画像ＤＢ１６Ｂは、プレゼンテーション資料の各ページに付けられる額縁やクリップアートの画像を複数用途別に記録したデータベースである。
音情報ＤＢ１６Ｃは、プレゼンテーション資料の各ページにつけられるコメントの音声情報および背景として流される音や音楽を複数用途別に記録したデータベースである。
【００６７】
素材選択手段１３が実施形態１と相違する部分は、音情報、背景およびフィルタだけを再設定できるようにし、テンプレートはページごとに指定するためここでは設定しないようにした点である。
【００６８】
詳細設定手段１８は、設定された各ページに対する演出効果を図１３に示すような編集画面を使って詳細に設定する。
図１３において、領域１３２はすでに選択された画像の縮小画像を表示させ、画像１３４と画像１３５が並んでいるときは、１ページに画像１（左）と画像２（右）が存在することを示す。さらに画像の下にある１３６は画像１に対するページ番号であり、１３７は画像２に対するページ番号である。
【００６９】
また、詳細設定手段１８で新たにページを追加するときは、１３０に表示されたテンプレートの図形イメージを選択してから、挿入場所の画像を領域１３２でクリックして選択し、「ページ挿入ボタン１３１」の「前」または「後」をクリックする。
この追加されたページに配置された画像領域に画像を指定するときには、画像を入力するページのページ番号をクリックし、領域１３３に表示されている画像データをクリックして選択し、「画像割り当てボタン１３８」をクリックする。
これによりページごとにテンプレートを替えた資料を作成することができる。
【００７０】
ページごとの演出効果を設定するときには、図１３の「編集ボタン１３９」をクリックすると、図１４から図１６に示したように３つの「画像効果」、「文字」および「フィルタ・背景・音」タブが表示される。
【００７１】
「画像効果」タブは、図１４に示すように、ページに選択された各画像に対する効果を画像効果選択肢１４１で選択する。
画像効果選択肢１４１には、例えば、効果なし、フェードイン／アウト、ドア、ワイプ、スライド、伸張、ピクセレート等がある。これらの違いは、「見るボタン１４２」をクリックして、画像効果表示領域１４３に表示することによって見ることができる。
【００７２】
「文字」タブは、図１５に示すように、ページに配置される文字列に対する効果を指定する。例えば、最初に配置されるテキスト１に対しては、文字列入力領域１５１に表示したい文字列を入力し、この文字列の効果（１５２）、色（１５３）、ポイントサイズ（１５４）、フォント名（１５５）、文字種（１５６）、文字列の配置（１５７）等を指定する。
文字列の効果の選択肢としては、例えば、効果なし、フェードイン／アウト、スライド、伸張、ピクセレート等がある。文字種には、通常、斜体、太字等がある。文字列の配置には、左詰め、中央、右詰等がある。
【００７３】
「フィルタ・背景・音」タブは、図１６に示すように、ページで使われるフィルタおよび背景の画像、コメントなどの音声や音を変更する。ここでの操作は、素材選択手段１３と同様に行う。
【００７４】
出力手段１５で実施形態１と相違する点は、ユーザが詳細設定した各ページに設定した文字情報、背景、フィルタまたは音情報の変更や効果を記録する点である。即ち、指示ファイルの各ページデータには次のデータが出力される。
【００７５】
背景画像は、詳細設定手段１８で選択された背景画像ファイル名である。
フィルタ画像は、詳細設定手段１８で選択されたフィルタ画像ファイル名である。
音情報は、詳細設定手段１８で選択された音情報ファイル名である。
画像に関する情報としては、テンプレートに配置された画像領域の順に対応して、テンプレートに設定された数だけの画像データの画像ファイル名とそれに対する効果情報をリストアップする。画像の効果情報としては、画像データを表示するときに回転する場合の回転情報および画像を表示する効果（例えば、効果なし、フェードイン／アウト、ドア、ワイプ、スライド、伸張、ピクセレート等）とがある。
【００７６】
テキストに関する情報としては、テンプレートに配置されたテキスト領域の順に対応して、テンプレートに設定された数だけの文字列とそれに対する効果情報をリストアップする。文字列の効果情報としては、色、フォント名、ポイントサイズ、効果（例えば、効果なし、フェードイン／アウト、スライド、伸張、ピクセレート等）、文字種、文字列の配置等がある。
【００７７】
音情報ファイル、フィルタファイルおよび背景ファイルは、各ページに共通する音情報、フィルタ画像、背景画像をそれぞれ格納するファイルである。
これらのファイルは、各ページで共通のものと異なるものが使われる場合には、そのページで使う音情報ファイル、フィルタ画像ファイル、背景画像ファイルもデータフォルダに書き込まれる。
【００７８】
次に、本実施形態２の処理手順を図１７のフローチャートを用いて説明する。
まず、処理選択画面を表示し、「楽々ウイザードで新規作成」、「新規作成」または「編集」のいずれかをユーザに選択させる（ステップＳ２１）。
【００７９】
「編集」を選択したときには（ステップＳ２２のＹＥＳ）、先に作成したプレゼンテーション資料の中間ファイルを指定させて、その内容を読み込み（ステップＳ２３）、ステップＳ２６へ進む。
また、「新規作成」を選択したときには（ステップＳ２４のＹＥＳ）、システムの標準値に初期設定して、ステップＳ２６へ進む。
「楽々ウイザードで新規作成」を選択したときには（ステップＳ２４のＮＯ）、実施形態１の処理が行われる（ステップＳ２５）。
【００８０】
図３のような画面をディスプレイ装置等の表示装置の画面に表示し、プレゼンテーション資料を再生するときの環境条件を選択入力する（ステップＳ２６）。
入力された環境条件のうち種別選択から、共通に使うテンプレート、背景画像、フィルタ画像および音情報等の選択範囲を限定する。
【００８１】
次に、上記ステップで決定され、プレゼンテーション資料で共通に使われる背景、フィルタ、音情報を表示し、これをユーザに修正入力させる（ステップＳ２７）。
【００８２】
図１３に示すような編集画面を表示して、今までに設定された各ページに対する演出効果を詳細に設定する。
入力指示が「テンプレート選択」であるときには（ステップＳ２８のＹＥＳ）、指定された場所へ指定されたテンプレートを持つページを追加する（ステップＳ２９）。この操作は、図１３のテンプレート１３０の図形イメージを選択してから、挿入場所の画像を領域１３２でクリックして選択し、「ページ挿入ボタン１３１」の「前」または「後」をクリックする。
【００８３】
入力指示が「画像選択」であるときには（ステップＳ３０のＹＥＳ）、指定されたページの画像領域へ選択した画像を挿入する（ステップＳ３１）。この操作は、画像を入力するページ番号（図１３の１３６や１３７）をクリックし、領域１３３に表示されている画像データを選択して、「画像割り当てボタン１３８」をクリックする。
【００８４】
次に、各ページに演出効果を与えるときには、入力指示を「編集」とする（ステップＳ３２のＹＥＳ）。この操作により、図１４から図１６に示したように３つの「画像効果」、「文字」および「フィルタ・背景・音」タブが表示される。
【００８５】
「画像効果」を選択すると（ステップＳ３３のＹＥＳ）、現在のページに存在する各画像に対して効果（例えば、効果なし、フェードイン／アウト、ドア、ワイプ、スライド、伸張、ピクセレート等）を選択する（ステップＳ３４）。
【００８６】
また、「文字」を選択すると（ステップＳ３５のＹＥＳ）、現在のページに配置される文字列とその文字列に対して、例えば、この文字列の効果（例えば、効果なし、フェードイン／アウト、スライド、伸張、ピクセレート等）、色、ポイントサイズ、フォント名、文字種、文字列の配置等を指定する（ステップＳ３６）。
【００８７】
また、「フィルタ・背景・音」を選択すると（ステップＳ３７のＹＥＳ）、現在のページで使われるフィルタおよび背景の画像、コメントなどの音声や音を変更する（ステップＳ３８）。
この操作は、例えば、ページフィルタの選択を変更したいときには、フィルタ画像の縮小表示の左右に設けられた「前へボタン」や「後へボタン」をクリックすると、フィルタ画像ＤＢ１６Ｂから取り出された画像が表示されるので、その縮小画像を見ることによって所望のフィルタを選択する。
前後へのボタンを押したときに次のフィルタ画像は、種別選択で指定された用途に属するフィルタ画像の中から選択される。
他の背景や音情報も同様に選択する。
【００８８】
入力指示が「オプション設定」であるときには（ステップＳ３９のＹＥＳ）、図６に示したオプション選択画面を表示し、プレゼンテーション資料の表題の入力およびページの再生間隔、制御バー表示の有無および繰り返し再生の有無を修正入力させる（ステップＳ４０）。
一方、入力指示がその他の場合にはステップＳ２８へ戻る。
【００８９】
最後に、プレイヤー出力指示があった場合、これまでに入力または選択された各種情報からプレゼンテーション資料を構成し、この資料を再生するプレイヤーソフトを付加して記録媒体へ書き出す（ステップＳ４２）。
この記録媒体には、図８で示すように再生プログラムであるプレイヤーとデータを格納するデータフォルダとが記録される。
【００９０】
また、編集出力指示があった場合、これまでに入力または選択された各種情報のみが中間ファイルとして書き出される（ステップＳ４３）。
出力指示がその他の場合には、処理を終了する。
【００９１】
＜実施形態３＞
本発明は、上述した実施形態のみに限定されたものではない。上述した実施形態のオーサリングシステムを構成する各機能をそれぞれプログラム化し、予めＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
【００９２】
なお、プログラムを格納する記録媒体としては半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれであってもよい。
【００９３】
また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
【００９４】
市場に流通させる場合には、可搬型の記録媒体にプログラムを格納して流通させたり、インターネット等の通信網を介して接続されたサーバコンピュータの記憶装置に格納しておき、通信網を通じて他のコンピュータに転送することもできる。この場合、このサーバコンピュータの記憶装置も本発明の記録媒体に含まれる。なお、コンピュータでは、可搬型の記録媒体上のプログラム、または転送されてくるプログラムを、コンピュータに接続した記憶装置にインストールし、そのインストールされたプログラムを実行することによって上述した実施形態の機能が実現される。
【００９５】
尚、本発明は上述した実施形態に限定されず、本発明の要旨を逸脱しない範囲内で各種の変形、修正が可能であるのは勿論である。
【００９６】
【発明の効果】
以上説明したように本発明によれば、実際に使用する環境あるいは場面など使用状況を想定し、その使用状況に適した演出あるいは効果を設定することができる。
【図面の簡単な説明】
【図１】実施形態１に係るオーサリングシステムの機能構成を示すブロック図である。
【図２】テンプレートの例である。
【図３】再生環境設定の画面例である。
【図４】画像選択の画面例である。
【図５】素材選択の画面例である。
【図６】オプション選択の画面例である。
【図７】出力指示の画面例である。
【図８】プレイヤーを記録する記録媒体のデータ構造例である。
【図９】環境ファイルのデータ構造例である。
【図１０】指示ファイルとページデータのデータ構造例である。
【図１１】実施形態１の処理手順を示すフローチャートである。
【図１２】実施形態２に係るオーサリングシステムの機能構成を示すブロック図である。
【図１３】詳細設定の画面例である。
【図１４】詳細設定の画像効果を選択する画面例である。
【図１５】詳細設定の文字列とその効果を選択する画面例である。
【図１６】詳細設定のフィルタ・背景・音を選択する画面例である。
【図１７】実施形態２の処理手順を示すフローチャートである。
【符号の説明】
１１…再生環境選択手段、１２…画像選択手段、１３…素材選択手段、１４…オプション選択手段、１５…出力手段、１６…素材群、１６Ａ…背景画像ＤＢ、１６Ｂ…フィルタ画像ＤＢ、１６Ｃ…音情報ＤＢ、１７…画像ＤＢ、１８…詳細設定手段、４１…参照ボタン、４２…領域、４３…一枚割り当てボタン、４４…一括割り当てボタン、４５…領域、５１…タイトル、５２…前へボタン、５３…後へボタン、５４…聴くボタン、１３０…テンプレート、１３１…ページ挿入ボタン、１３２…領域、１３３…領域、１３４…画像１、１３５…画像２、１３６…ページ番号、１３７…ページ番号、１３８…画像割り当てボタン、１３９…編集ボタン、１４１…画像効果選択肢、１４２…見るボタン、１４３…効果表示領域、１５１…文字列入力領域、１５２…効果、１５３…色、１５４…ポイントサイズ、１５５…フォント名、１５６…文字種、１５７…文字列の配置。
【図１】
2004235785.tif 000003
【図２】
2004235785.tif 000004
【図３】
2004235785.tif 000005
【図４】
2004235785.tif 000006
【図５】
2004235785.tif 000007
【図６】
2004235785.tif 000008
【図７】
2004235785.tif 000009
【図８】
2004235785.tif 000010
【図９】
2004235785.tif 000011
【図１０】
2004235785.tif 000012
【図１１】
2004235785.tif 000013
【図１２】
2004235785.tif 000014
【図１３】
2004235785.tif 000015
【図１４】
2004235785.tif 000016
【図１５】
2004235785.tif 000017
【図１６】
2004235785.tif 000018
【図１７】
2004235785.tif 000019